(57)【要約】【課題】外観を損なうことなく、散水板とそれを取り囲む開口部の干渉を防止することができるシャワー装置を提供する。【解決手段】本発明は、吐水角度を変更可能な埋め込み式のシャワー装置（４）であって、給湯配管（Ｐ）に接続される固定側本体部（２０、２８）と、この固定側本体部に、ボール継手を介して接続される可動側本体部（３０）と、この可動側本体部に設けられた多角形の散水板（２４）と、この散水板に対して直交する主軸線を中心とする可動側本体部の回転を規制するガイド手段（２４ｂ、４０）と、散水板の周囲を取り囲む多角形開口部が形成されたフランジ部材（４２）と、散水板の隅部の、多角形開口部内への落ち込み量を規制する落ち込み規制手段（３８ｂ）と、を有することを特徴としている。【選択図】図２
2009213778.tif 000002
【特許請求の範囲】
【請求項１】
吐水角度を変更可能な埋め込み式のシャワー装置であって、
給湯配管に接続される固定側本体部と、
この固定側本体部に、ボール継手を介して接続される可動側本体部と、
この可動側本体部に設けられた多角形の散水板と、
この散水板に対して直交する主軸線を中心とする上記可動側本体部の回転を規制するガイド手段と、
上記散水板の周囲を取り囲む多角形開口部が形成されたフランジ部材と、
上記散水板の隅部の、上記多角形開口部内への落ち込み量を規制する落ち込み規制手段と、
を有することを特徴とするシャワー装置。
【請求項２】
上記ガイド手段が、ピン及びこのピンを受け入れる案内溝により構成され、これらのピン及び案内溝は、上記可動側本体部が回動されるとき、相対的に移動されるように構成されている請求項１記載のシャワー装置。
【請求項３】
さらに、上記フランジ部材の背面側に配置され、上記可動側本体部を受け入れるケースを有し、上記落ち込み規制手段は、上記ケースの隅部に形成され、上記可動側本体部又は上記散水板と当接して、上記散水板の隅部の落ち込み量を規制するケース当接部により構成されている請求項１又は２記載のシャワー装置。
【請求項４】
上記落ち込み規制手段は、上記可動側本体部又は上記散水板と当接するように配置されたテーパ面から構成され、このテーパ面は、上記散水板の対角線の方向が高く形成されており、上記散水板の隅部の落ち込み量を規制する請求項１又は２記載のシャワー装置。
【請求項５】
上記多角形開口部は、その周縁に、多角形開口部が背面側に向かって広くなるように向けられた面取面が形成されている請求項１乃至４の何れか１項に記載のシャワー装置。
【発明の詳細な説明】
【技術分野】
【０００１】
本発明は、シャワー装置に関し、特に、吐水角度を変更可能な埋め込み式のシャワー装置に関する。
【背景技術】
【０００２】
特開２００６−１０１９１４号公報（特許文献１）には、シャワー装置が記載されている。このシャワー装置は、ボール継手を使用することにより、吐水角度を変更できるように構成されている。図１３は、このようなボール継手を使用して吐水角度を変更可能にしたシャワー装置の断面図である。図１３に示すように、シャワー装置１００は、壁面Ｗに取り付けられる固定側本体部１０２と、この固定側本体部１０２に対して回動可能に取り付けられた可動側本体部１０４と、を有する。これらの固定側本体部１０２及び可動側本体部１０４は、ボール継手１０６を介して接続されている。
【０００３】
この構造により、可動側本体部１０４は、ボール継手１０６の回動中心点Ｃを通り、壁面Ｗに平行な平面内の任意の軸線を中心に回動可能になる。また、可動側本体部１０４の回動可能な範囲は、固定側本体部１０２の先端部内周テーパ面１０２ｂと可動側本体部１０４の後部円筒外周面１０４ｂが当接することにより規制される。このため、可動側本体部１０４の回動可能な角度は、回動中心点Ｃを通り、壁面Ｗに平行な平面内の全ての軸線を中心とした回動について同一である。即ち、可動側本体部１０４は、正面に向けられた状態からどの方向に回動された場合にも、同一の角度だけ回動可能になっている。
【０００４】
この特開２００６−１０１９１４号公報に記載されたタイプのシャワー装置は、壁面から使用者の身体に向けて吐水するボディーシャワー用の装置として好適である。一方、シャワー装置の散水板を矩形にすること、及びシャワー装置の本体部分を壁面に埋め込むことが意匠性の観点から要求されている。
【０００５】
【特許文献１】特開２００６−１０１９１４号公報
【発明の開示】
【発明が解決しようとする課題】
【０００６】
しかしながら、図１３に示すようなシャワー装置を壁面に埋め込み、散水板を矩形にすると、散水板を回動させたとき、散水板の縁部とシャワー装置を埋め込んだ壁面開口部の縁部が干渉するという問題がある。即ち、ボール継手で接続された可動側本体部は、回動中心点Ｃを通り壁面Ｗに直交する軸線Ａを中心とした回動も可能であるため、散水板を矩形にすると、この回動により散水板の縁部と壁面開口部の縁部が干渉してしまう。また、散水板を矩形にした場合には、可動側本体部を鉛直方向又は水平方向のみに回動させたとき干渉が発生しないように構成されていても、鉛直方向に回動させた状態で水平方向に回動させると干渉が発生するという問題がある。
【０００７】
さらに、散水板と壁面開口部が干渉すると、シャワー装置の操作感が悪化するばかりでなく、干渉することにより散水板等が傷付いたり、メッキが剥がれる等の問題が発生する。また、干渉が発生することが無いよう、シャワー装置を埋め込む壁面開口部を大きく形成すると、シャワー装置の外観が損なわれるという問題がある。
【０００８】
従って、本発明は、外観を損なうことなく、散水板とそれを取り囲む開口部の干渉を防止することができるシャワー装置を提供することを目的としている。
【課題を解決するための手段】
【０００９】
上述した課題を解決するために、本発明は、吐水角度を変更可能な埋め込み式のシャワー装置であって、給湯配管に接続される固定側本体部と、この固定側本体部に、ボール継手を介して接続される可動側本体部と、この可動側本体部に設けられた多角形の散水板と、この散水板に対して直交する主軸線を中心とする可動側本体部の回転を規制するガイド手段と、散水板の周囲を取り囲む多角形開口部が形成されたフランジ部材と、散水板の隅部の、多角形開口部内への落ち込み量を規制する落ち込み規制手段と、を有することを特徴としている。
【００１０】
このように構成された本発明においては、散水板が設けられた可動側本体部が、給湯配管に接続された固定側本体部に対して、ボール継手により回動される。可動側本体部が回動される際、主軸線を中心とする可動側本体部の回転がガイド手段により規制され、散水板の隅部の、多角形開口部内への落ち込みが、落ち込み規制手段によって規制される。
【００１１】
このように構成された本発明によれば、落ち込み規制手段により、散水板の隅部の、多角形開口部内への落ち込みが規制されるので、フランジ部材の多角形開口部を小さく構成した場合の、フランジ部材と散水板の干渉を防止することができる。これにより、シャワー装置の外観を損なうことなく、散水板と壁面開口部の干渉を防止することができる。
【００１２】
本発明において、好ましくは、ガイド手段が、ピン及びこのピンを受け入れる案内溝により構成され、これらのピン及び案内溝は、可動側本体部が回動されるとき、相対的に移動されるように構成されている。
このように構成された本発明によれば、主軸線を中心とする可動側本体部の回転を規制するガイド手段を、簡単な機構で構成することができる。
【００１３】
本発明において、好ましくは、さらに、フランジ部材の背面側に配置され、可動側本体部を受け入れるケースを有し、落ち込み規制手段は、ケースの隅部に形成され、可動側本体部又は散水板と当接して、散水板の隅部の落ち込み量を規制するケース当接部により構成されている。
このように構成された本発明によれば、散水板の隅部の、多角形開口部内への落ち込み量を規制する落ち込み規制手段を、簡単な機構で構成することができる。
【００１４】
本発明において、好ましくは、落ち込み規制手段は、可動側本体部又は散水板と当接するように配置されたテーパ面から構成され、このテーパ面は、散水板の対角線の方向が高く形成されており、散水板の隅部の落ち込み量を規制する。
このように構成された本発明によれば、シャワー装置がケースを備えていない場合にも、落ち込み規制手段を設けることができる。
【００１５】
本発明において、好ましくは、多角形開口部は、その周縁に、多角形開口部が背面側に向かって広くなるように向けられた面取面が形成されている。
このように構成された本発明によれば、面取面が形成されていない場合と比較して、多角形開口部の前面側を小さく構成することができるので、散水板との隙間を小さく構成でき、シャワー装置の美観を、より向上させることができる。
【発明の効果】
【００１６】
本発明のシャワー装置によれば、外観を損なうことなく、散水板とそれを取り囲む開口部の干渉を防止することができる。
【発明を実施するための最良の形態】
【００１７】
次に、添付図面を参照して、本発明の好ましい実施形態を説明する。
図１は、本発明の第１実施形態によるシャワー装置を、取付面である壁面に埋め込んだ水栓設備全体を示す図である。図２は本実施形態によるシャワー装置の平面断面図であり、図３はシャワー装置の一部を切断して示す斜視図である。また、図４は本実施形態のシャワー装置の分解斜視図である。
【００１８】
図１に示すように、本発明の第１実施形態によるシャワー装置を使用した水栓設備１は、４つの水栓装置２ａ、２ｂ、２ｃ、２ｄと、ボディーシャワー用のシャワー装置４と、ハンドシャワー用のハンドシャワーヘッド６と、オーバーヘッドシャワー用のオーバーシャワーヘッド８と、吐水温度を調整するためのサーモ水栓１６と、を有する。
【００１９】
各水栓装置２ａ、２ｂ、２ｃ、２ｄは、取付面である正面の壁面Ｗ１に埋め込まれており、それらの間が壁面Ｗ１に埋め込まれた配管により接続されている。また、壁面Ｗ１上には、オーバーヘッドシャワー吐水用の押しボタンユニット１０ａ、ハンドシャワー吐水用の押しボタンユニット１０ｂ、及びボディーシャワー吐水用の押しボタンユニット１０ｃ、１０ｄが配置されている。
【００２０】
さらに、各水栓装置２ａ、２ｂ、２ｃ、２ｄの下方には、吐水温度を調整するためのサーモ水栓１６が埋め込まれており、サーモ水栓１６には設定温度を調節するための温度調整ツマミ１６ａが設けられている。
また、本実施形態によるシャワー装置４は、左右の壁面Ｗ２、Ｗ３に夫々２つずつ埋め込まれている。シャワー装置４は、使用者がシャワー装置４の散水板を押圧することにより吐水角度を適宜変更できるように構成されており、ボディーシャワー吐水用の押しボタンユニット１０ｃ、１０ｄを操作することにより、吐水状態と止水状態を切り替えることができる。
【００２１】
図２乃至図４に示すように、本発明の第１実施形態によるシャワー装置４は、給湯配管Ｐに接続されるベース部材２０と、このベース部材２０に対して摺動可能に接続されるボール継手２２と、このボール継手２２に取り付けられた散水板２４と、を有する。これにより、給湯配管Ｐから供給された湯水は、ベース部材２０、ボール継手２２、及び散水板２４を通って、散水板２４に形成された多数の散水孔から吐出される。さらに、本実施形態によるシャワー装置４は、ベース部材２０及びボール継手２２を収容するケース３８と、散水板２４の周囲を取り囲む矩形開口部が形成されたフランジ部材４２と、を有する。
【００２２】
ベース部材２０は、ベース部材フランジ２０ａを有する概ね円筒形の部材であり、ベース部材フランジ２０ａが形成された後端部が壁面に埋め込まれた給湯配管Ｐに接続されるように構成されている。また、ベース部材２０の円筒形の前端部は、ボール継手２２の後端部に摺動可能に受け入れられるように構成されている。
【００２３】
散水板２４は、概ね正方形の板状に形成されており、その背面側の中央でボール継手２２に取り付けられるように構成されている。また、散水板２４の背面両側側部には、後方に突出するように延びる突出プレート２４ａが形成されている。
【００２４】
次に、図５を新たに参照して、ボール継手２２の構成を説明する。図５は、ボール継手２２を構成する継手カバー２８の斜視図である。
図２に示すように、ボール継手２２は、ベース部材２０を受け入れる円筒部材２６と、この円筒部材２６を受け入れる継手カバー２８と、概ね球形のボールを有するボール部材３０と、を有する。さらに、ボール継手２２は、継手カバー２８とボール部材３０のボールの間に配置される摺動リング３４と、ボールに押し付けられるボール抑え３２と、このボール抑え３２をボールに向けて付勢する付勢バネ３６と、を有する。
従って、本実施形態においては、ベース部材２０、円筒部材２６、及び継手カバー２８が固定側本体部を構成し、散水板２４及びボール部材３０が可動側本体部を構成する。
【００２５】
円筒部材２６は概ね円筒形の部材であり、その内側にベース部材２０の円筒部を水密的に摺動可能に受け入れるように構成されている。
図５に示すように、継手カバー２８は、カバーフランジ２８ａを有する概ね円筒形の部材であり、円筒部分の内側に円筒部材２６を水密的に受け入れるように構成されている。また、円筒部材２６の外周部、及び継手カバー２８の内周部には夫々雄ネジ及び雌ネジが形成されており、このネジにより継手カバー２８と円筒部材２６が結合されている。また、カバーフランジ２８ａには、４つのビス穴が設けられており、このビス穴を通してビス２８ｂをベース部材フランジ２０ａに固定することにより、ボール継手２２がベース部材２０に固定される。
【００２６】
ボール部材３０は、継手カバー２８の内部に受け入れられる概ね球形のボールと、このボールから延び散水板２４に連結されるボール連結部を備えている。ボールは、継手カバー２８の前端部開口の内周に配置された摺動リング３４と、円筒部材２６の内部に摺動可能に配置されたボール抑え３２の間に挟まれて、ボールの回動中心点Ｃを中心に任意の方向に回動可能に支持される。また、ボール部材３０のボールと継手カバー２８の間の水密性は、それらの間に配置されたＯリング２９により確保されている。
【００２７】
摺動リング３４は、内周に面取面が形成された環状の部材であり、ボール部材３０のボールと円周状の領域で滑らかに接触するように構成されている。
ボール抑え３２は、概ね円筒状の部材であり、その内周にはすり鉢状の面が形成されている。このすり鉢状の面は、ボール部材３０のボールと円周状の領域で滑らかに接触するように構成されている。また、ボール抑え３２の外周には、付勢バネ３６が配置されており、この付勢バネ３６がボール抑え３２の外周に形成された段部に係合することにより、ボール抑え３２はボールに向けて付勢される。
【００２８】
次に、図６を新たに参照して、ケース３８の構成を説明する。図６は、ケース３８の斜視図である。
ケース３８は、内部にベース部材２０及びボール継手２２を収容する箱形の収容部と、この収容部の前端開口部の周囲に設けられた鍔部３８ａと、を有する。収容部の４つの隅部には、散水板２４の背面側の角と当接するように形成されたケース当接部３８ｂが形成されている。ケース当接部３８ｂは、収容部の４つの隅部に夫々形成された、壁面とほぼ平行に延びる平面部によって構成されている。このケース当接部３８ｂと、散水板２４の背面側の角が当接されることにより、散水板２４の隅部のケース３８の内部への落ち込み量が規制される。従って、本実施形態において、ケース当接部３８ｂは、落ち込み規制手段を構成する。
【００２９】
さらに、ケース３８の収容部の両側側面には、２本のピン４０（図４）が収容部の内方に突出するように取り付けられている。さらに、これらのピン４０は、散水板２４から後方に向けて突出する突出プレート２４ａに夫々形成された案内溝２４ｂ（図３）に受け入れられている。ピン４０が案内溝２４ｂに受け入れられることにより、回動中心点Ｃを通り散水板２４に直交する主軸線Ａを中心とした散水板２４の回動が規制される。従って、本実施形態において、ピン４０及び案内溝２４ｂは、主軸線を中心とする散水板２４（可動側本体部）の回転を規制するガイド手段として機能する。
また、図４に示すように、ケース３８は、鍔部３８ａの背面側が壁面Ｗに設けられた開口部の縁に当接され、壁面Ｗに対して位置決めされる。
【００３０】
フランジ部材４２は、図４に示すように、散水板２４の周囲を取り囲む矩形開口部４２ａが中央に形成された概ね正方形板状の部材であり、ケース３８の鍔部３８ａを覆うように配置される。また、矩形開口部４２ａの周縁には、矩形開口部４２ａが背面側に向かって広くなるように向けられた面取面４２ｂが形成されている。
【００３１】
次に、図７乃至図９を参照して、本発明の第１実施形態によるシャワー装置４の作用を説明する。図７は、ボール継手２２及び散水板２４をケース３８に収納しない状態で、散水板２４を種々の方向に回動させた場合の散水板２４の動きを示す図である。図８は、本実施形態のシャワー装置４の散水板２４を傾けた状態を示す平面断面図である。図９は、本実施形態のシャワー装置４の散水板２４を上方向及び左方向に傾けた状態を示す正面図である。
【００３２】
まず、本実施形態のシャワー装置４に備えられている落ち込み規制手段（ケース当接部３８ｂ）の作用を説明するために、図７を参照して、散水板２４をケース３８に収納しない状態（落ち込み規制手段がない状態）で種々の方向に回動させた場合の動きを説明する。ボール継手２２及び散水板２４がケース３８に収納されていない場合には、散水板２４の回動は、散水板２４の背面と継手カバー２８の前端面２８ｃ（図５）が当接することにより規制される。前端面２８ｃは主軸線Ａに対して概ね対称に形成されているので、ケース３８に収納されていない状態では、散水板２４の最大回動角度は何れの方向も同一になる。
【００３３】
図７（ａ）は、散水板２４が各方向に最大に回動された状態を、シャワー装置４の正面から重畳的に示した図である。図７（ｂ）は、散水板２４を図７（ａ）に示すように回動させた場合における、散水板２４の右上の角の動きを拡大して示した図である。
【００３４】
まず、散水板２４が正面に向けられている状態、即ち、散水板２４が傾けられていない状態においては、散水板２４の右上の角は、図７（ｂ）のｐ０の位置にある。次に、散水板２４の上辺部を押圧し、散水板２４を上方に、即ち、散水板２４を回動中心点Ｃを通り水平な軸線を中心に最大限回動させると、右上の角は散水板２４の背面側に落ち込みながら図７（ｂ）のｐ１の位置に移動される。このとき、散水板２４の右上及び左上の角の落ち込み量は等しく、散水板２４の右下及び左下の角が浮き上がる量も等しくなる。
【００３５】
一方、図７（ｂ）のｐ０の位置から、散水板２４の左側の辺部を押圧し、散水板２４を左方に、即ち、散水板２４を回動中心点Ｃを通り鉛直な軸線を中心に最大限回動させると、右上の角は散水板２４の背面側に浮き上がりながら図７（ｂ）のｐ３の位置に移動される。このとき、散水板２４の左上及び左下の角の落ち込み量は等しく、散水板２４の右上及び右下の角が浮き上がる量も等しくなる。
同様に、ｐ０の位置から散水板２４の下辺部を押圧して散水板２４を回動させると、右上の角は図７（ｂ）のｐ５の位置に移動され、また、ｐ０の位置から散水板２４の右側の辺部を押圧して散水板２４を回動させると、右上の角は図７（ｂ）のｐ７の位置に移動される。
【００３６】
次に、散水板２４が上方に傾けられた状態、即ち、図７（ｂ）のｐ１の位置から、散水板２４の左側の辺部を押圧すると、散水板２４の右上の角は浮き上がりながら図７（ｂ）のｐ２の位置に移動される。このとき、散水板２４の左上の角は、散水板２４が上方に傾けられた状態よりもさらに、散水板２４の背面側に落ち込む。図７（ｂ）のｐ２の位置は、散水板２４が、左上方に傾けられた状態、即ち、回動中心点Ｃを通り、散水板２４の右上と左下の角を結ぶ対角線方向の軸線を中心に、最大限回動された状態である。
【００３７】
図７（ｂ）のｐ２の位置から、散水板２４の左側の辺部をさらに押圧すると、右上の角は浮き上がりながら図７（ｂ）のｐ３の位置に移動される。このとき、散水板２４の左上の角は、図７（ｂ）のｐ２における位置よりも浮き上がり、左下の角は落ち込んで、散水板２４は左方に傾けられた状態になる。
【００３８】
同様に、散水板２４が左方に傾けられた状態（図７（ｂ）のｐ３）から散水板２４の下辺部を押圧すると、散水板２４は左下方に傾けられた状態（図７（ｂ）のｐ４）を経て下方に傾けられた状態（図７（ｂ）のｐ５）に移行する。さらに、散水板２４が下方に傾けられた状態（図７（ｂ）のｐ５）から散水板２４の右側の辺部を押圧すると、散水板２４は右下方に傾けられた状態（図７（ｂ）のｐ６）を経て右方に傾けられた状態（図７（ｂ）のｐ７）に移行する。散水板２４が右方に傾けられた状態（図７（ｂ）のｐ７）から散水板２４の上辺部を押圧すると、散水板２４は右上方に傾けられた状態（図７（ｂ）のｐ８）を経て上方に傾けられた状態（図７（ｂ）のｐ１）に移行する。
【００３９】
このように、散水板２４の上辺部、左側の辺部、下辺部、右側の辺部を順次押圧すると、散水板２４は、上方、左上方、左方、左下方、下方、右下方、右方、右上方に順次傾けられ、このとき、散水板２４の角は、図７（ｂ）に示す円を描くように移動される。
【００４０】
次に、図８及び図９を参照して、散水板２４をケース３８に収納した状態（落ち込み規制手段を設けた状態）で種々の方向に回動させた場合の動きを説明する。図８は、本発明の第１実施形態によるシャワー装置４において、散水板２４を最大限左方に傾けた状態を示す平面断面図である。また、図９は、（ａ）散水板２４を最大限上方に傾けた状態、（ｂ）散水板２４を最大限左方に傾けた状態を示す正面図、及び（ｃ）散水板２４の右上の角が移動する軌跡を示す図である。
【００４１】
まず、ボール継手２２及び散水板２４がケース３８に収納されている場合には、散水板２４の回動は、散水板２４の背面と落ち込み規制手段であるケース当接部３８ｂが当接することにより規制される。即ち、図８に示すように、散水板２４を左方に傾けた状態においては、散水板２４の左上及び左下の角が、ケース３８の左上及び左下の隅に設けられたケース当接部３８ｂに夫々当接して、散水板２４の傾斜角度が規制される。同様に、散水板２４を上方に傾けた状態では左上及び右上の隅のケース当接部３８ｂが、下方に傾けた状態では左下及び右下の隅のケース当接部３８ｂが、右方に傾けた状態では右上及び右下の隅のケース当接部３８ｂが、散水板２４の背面側の角に当接される。
【００４２】
まず、図９（ａ）に示す散水板２４が上方に傾けられた状態において、散水板２４の左側の辺部を押圧すると、散水板２４は、図９（ｂ）に示す散水板２４が左方に傾けられた状態に移行する。この際、散水板２４の左上の角は、ケース当接部３８ｂによって落ち込み量が規制されているので、散水板２４の左上の角が図９（ａ）の状態よりも落ち込むことはなく、散水板２４の右上の角が浮き上がる。散水板２４の左側の辺部をさらに押圧すると、散水板２４の左下の角が落ち込み、左下の角とケース当接部３８ｂが当接して、図９（ｂ）に示す状態になる。
【００４３】
即ち、図９（ａ）に示す状態において、散水板２４の左側の辺部を押圧すると、散水板２４は、散水板２４の左上の角とケース当接部３８ｂが当接する点と、回動中心点Ｃとを結ぶ軸線を中心に回動され、図９（ｂ）に示す状態に移行する。換言すれば、落ち込み規制手段のない状態においては、散水板２４は、回動中心点Ｃを通り壁面Ｗに平行な任意の軸線を中心とする回動について、同一の角度だけ回動可能である。これに対して、落ち込み規制手段を設けることにより、回動中心点Ｃを通り散水板２４の対角線の方向の軸線を中心とした散水板２４の回動可能な角度が、回動中心点Ｃを通り水平又は鉛直な軸線を中心とする回動可能な角度よりも小さくなる。
【００４４】
この落ち込み規制手段の作用により、散水板２４の右上の角が描く軌跡は、図９（ｃ）に示すものとなる。図７（ｂ）におけるｐ１からｐ３に至る軌跡が円弧状であるのに対し、図９（ｃ）におけるｐ１からｐ３に至る軌跡は比較的直線に近いものであり、移動範囲が狭くなっていることがわかる。なお、ケース３８内に設けられたピン４０が、散水板２４背面の突出プレート２４ａに設けられた案内溝２４ｂに受け入れられているが、ピン４０と案内溝２４ｂの間には、所定のクリアランスがあるため、図９（ａ）から図９（ｂ）の状態に移行する際に、ピン４０と案内溝２４ｂが干渉することはない。従って、ピン４０及び案内溝２４ｂの構成は、図９（ｃ）の軌跡には無関係である。
【００４５】
ここで、散水板２４の角が図９（ｃ）に示す軌跡を描く場合には、散水板２４が上方、左方、下方、右方に最大限傾斜された際に散水板２４とフランジ部材４２が干渉することのないように、フランジ部材４２の矩形開口部４２ａを設計しておくことにより、散水板２４とフランジ部材４２の干渉を回避することができる。
【００４６】
これに対して、散水板２４の角が図７（ｂ）に示す軌跡を描く場合には、散水板２４が上方、左方、下方、右方に最大限傾斜された際に散水板２４とフランジ部材４２の干渉が発生しないように矩形開口部４２ａを設計しても、散水板２４の角が、図７（ｂ）のｐ２、ｐ４、ｐ６、ｐ８の近傍に位置するとき、干渉が起こる場合がある。この干渉を避けるために矩形開口部４２ａを大きく設計すると、散水板２４と矩形開口部４２ａの間のクリアランスが大きくなり、シャワー装置４の意匠性が損なわれることになる。
【００４７】
また、フランジ部材４２の矩形開口部４２ａの背面側の縁には、矩形開口部４２ａが背面側に向かって広くなるように面取面４２ｂが形成されている。これにより、矩形開口部４２ａの背面側の縁と散水板２４の干渉が効果的に防止されるので、矩形開口部４２ａの前面側を、より小さく設計することができ、シャワー装置４の意匠性をより向上させることができる。
【００４８】
本発明の第１実施形態のシャワー装置によれば、ケース当接部により、散水板の隅部の、矩形開口部内への落ち込みが規制されるので、フランジ部材の矩形開口部を小さく構成した場合の、フランジ部材と散水板の干渉を防止することができる。これにより、シャワー装置の外観を損なうことなく、散水板と壁面開口部の干渉を防止することができる。
【００４９】
また、本実施形態のシャワー装置によれば、ピン及びこのピンを受け入れる案内溝により、主軸線を中心とする可動側本体部の回転を簡単な機構で規制することができる。
【００５０】
次に、図１０を参照して、本発明の第２実施形態によるシャワー装置を説明する。本実施形態のシャワー装置は、落ち込み規制手段が形成されたケースの構成が、上述した第１実施形態とは異なる。従って、ここでは、本発明の第２実施形態の、第１実施形態とは異なる点のみを説明する。図１０は、本実施形態のシャワー装置に使用されているケースの斜視図である。
【００５１】
図１０に示すように、本実施形態において使用されるケース５０は、その収容部の各辺に、落ち込み規制手段としてケース当接部５０ａが夫々形成されている。各ケース当接部５０ａは、隅部近傍の収容部側面から延びる稜線５０ｂが散水板２４の背面側と当接して、散水板２４の隅部の、矩形開口部の中への落ち込みを防止するように構成されている。
【００５２】
ケース当接部５０ａをこのように形成することによっても、散水板２４の隅部の落ち込み量を規制することができる。これにより、散水板２４を回動させたとき、散水板２４の角は図９（ｃ）と類似の軌跡を描いて移動される。
【００５３】
次に、図１１及び図１２を参照して、本発明の第３実施形態によるシャワー装置を説明する。本実施形態のシャワー装置は、落ち込み規制手段がボール継手の継手カバーに形成されている点が上述した第１実施形態とは異なる。従って、ここでは、本発明の第３実施形態の、第１実施形態とは異なる点のみを説明する。図１１は、本実施形態のシャワー装置に使用されている継手カバーの斜視図である。また、図１２は、本発明の第３実施形態のシャワー装置の散水板が傾斜された状態を示す斜視断面図である。
【００５４】
図１１に示すように、本発明の第３実施形態においては、ボール継手の継手カバー６０の前端部に、四角錐状に配置されたテーパ面である４つの当接平面６０ａが形成されている。従って、各当接平面６０ａの間には、４本の稜線６０ｂが形成される。本実施形態においては、４つの当接平面６０ａ及び４本の稜線６０ｂが落ち込み規制手段として機能する。継手カバー６０は、その４本の稜線６０ｂが散水板２４の対角線の方向に整合されるように配置される。従って、継手カバー６０の前端部は、前端部が概ね円錐面状に形成されている継手カバー２８（図５）に比べ、散水板２４の対角線の方向が高くなるように形成されているということができる。即ち、稜線６０ｂの方向において、図５の継手カバー２８に比べ、散水板２４の背面と継手カバー６０の前端部の間の距離が近くなる。
【００５５】
図１２に示すように、散水板２４が左方に傾けられている状態においては、散水板２４の背面と当接平面６０ａの一つが当接されている。さらに、図１２に示す状態から、図１２に矢印で示す散水板２４の下辺部を押圧すると、散水板２４の背面が当接平面６０ａから浮き上がり、散水板２４の背面は、１本の稜線６０ｂのみで継手カバー６０と当接するようになる。ここで、稜線６０ｂの部分は、当接平面６０ａよりも高くなるように形成されているので、稜線６０ｂと当接している散水板２４の隅部の落ち込みが規制される。これにより、散水板２４を回動させたとき、散水板２４の角は図９（ｃ）と類似の軌跡を描いて移動される。
【００５６】
本発明の第３実施形態のシャワー装置によれば、シャワー装置がケースを備えていない場合にも、落ち込み規制手段を設けることができる。
【００５７】
以上、本発明の好ましい実施形態を説明したが、上述した実施形態に種々の変更を加えることができる。特に、上述した実施形態においては、散水板は正方形の板状に構成されていたが、散水板は長方形の他、任意の多角形にすることができる。また、矩形を含む多角形の散水板の角には或る程度の丸味が付けられていても良く、本明細書において、「矩形」、「多角形」には、このような形状も含まれるものとする。さらに、散水板の各辺は、完全な直線である必要はなく、或る程度湾曲されていても良い。本明細書において、「矩形」、「多角形」には、このような形状も含まれるものとする。
【００５８】
さらに、上述した実施形態においては、可動側本体部の側にボール継手のボールが設けられ、固定側本体部においてこのボールを支持していたが、逆に、固定側本体部にボールを設けても良い。また、上述した実施形態においては、ガイド手段として、ケースにピンが設けられ、散水板に案内溝が設けられていたが、逆に、散水板にピンを設けても良い。
【図面の簡単な説明】
【００５９】
【図１】本発明の第１実施形態によるシャワー装置を壁面に埋め込んだ水栓設備全体を示す図である。
【図２】本発明の第１実施形態によるシャワー装置の平面断面図である。
【図３】本発明の第１実施形態によるシャワー装置の一部を切断して示す斜視図である。
【図４】本発明の第１実施形態によるシャワー装置の分解斜視図である。
【図５】ボール継手を構成する継手カバーの斜視図である。
【図６】ケースの斜視図である。
【図７】ボール継手及び散水板をケースに収納しない状態で、散水板を種々の方向に回動させた場合の散水板の動きを示す図である。
【図８】本発明の第１実施形態によるシャワー装置の散水板を傾けた状態を示す平面断面図である。
【図９】本発明の第１実施形態によるシャワー装置の散水板を上方向及び左方向に傾けた状態を示す正面図である。
【図１０】本発明の第２実施形態によるシャワー装置に使用されているケースの斜視図である。
【図１１】本発明の第３実施形態によるシャワー装置に使用されている継手カバーの斜視図である。
【図１２】本発明の第３実施形態によるシャワー装置の散水板が傾斜された状態を示す斜視断面図である。
【図１３】ボール継手を使用して吐水角度を変更可能にした従来のシャワー装置の断面図である。
【符号の説明】
【００６０】
Ａ      主軸線
Ｃ      回動中心点
Ｐ      給湯配管
Ｗ      壁面
１      水栓設備
２ａ、２ｂ、２ｃ、２ｄ  水栓装置
４      本発明の第１実施形態によるシャワー装置
６      ハンドシャワーヘッド
８      オーバーシャワーヘッド
１０ａ、１０ｂ、１０ｃ、１０ｄ  押しボタンユニット
１６    サーモ水栓
２０    ベース部材
２０ａ  ベース部材フランジ
２２    ボール継手
２４    散水板
２４ａ  突出プレート
２４ｂ  案内溝
２６    円筒部材
２８    継手カバー
２８ａ  カバーフランジ
２８ｂ  ビス
２８ｃ  前端面
２９    Ｏリング
３０    ボール部材
３２    ボール抑え
３４    摺動リング
３６    付勢バネ
３８    ケース
３８ａ  鍔部
３８ｂ  ケース当接部
４０    ピン
４２    フランジ部材
４２ａ  矩形開口部
４２ｂ  面取面
５０    本発明の第２実施形態において使用されるケース
５０ａ  ケース当接部
５０ｂ  稜線
６０    本発明の第３実施形態において使用される継手カバー
６０ａ  当接平面
６０ｂ  稜線
１００  従来のシャワー装置
１０２  固定側本体部
１０４  可動側本体部
１０６  ボール継手
【図１】
2009213778.tif 000003
【図２】
2009213778.tif 000004
【図３】
2009213778.tif 000005
【図４】
2009213778.tif 000006
【図５】
2009213778.tif 000007
【図６】
2009213778.tif 000008
【図７】
2009213778.tif 000009
【図８】
2009213778.tif 000010
【図９】
2009213778.tif 000011
【図１０】
2009213778.tif 000012
【図１１】
2009213778.tif 000013
【図１２】
2009213778.tif 000014
【図１３】
2009213778.tif 000015